(57)【要約】【課題】  時間的要素を含むプロジェクト管理情報を用いて、ユーザの簡易な操作で容易に所望のドキュメント情報を生成することが可能なドキュメント情報生成装置およびドキュメント情報生成用プログラムを提供する。【解決手段】  電子カルテ情報で管理される行為ごとの、実行時間情報を含む詳細情報をＣＯＡ情報として記憶する電子カルテ情報記憶部１２と、記憶された各ＣＯＡ情報に対応するマークを、該ＣＯＡ情報に含まれる実行時刻情報に基づいて時間軸上に表示させるための表示情報を生成する表示情報生成部２２２と、生成され表示された表示情報から選択されたマークに対応するＣＯＡ情報を取得する選択ＣＯＡ情報取得部２２３と、取得されたＣＯＡ情報に含まれる詳細情報に基づいてテキスト文書を含むドキュメント情報を生成するドキュメント情報生成部２２４とを備える。【選択図】  図１
2010282532.tif 000002
【特許請求の範囲】
【請求項１】
プロジェクト管理情報で管理される行為ごとの、実行時間情報を含む詳細情報を行為情報として記憶するプロジェクト管理情報記憶部と、
前記プロジェクト管理情報記憶部に記憶された各行為情報に対応するマークを、該行為情報に含まれる前記実行時刻情報に基づいて時間軸上に表示させるための表示情報を生成する表示情報生成部と、
前記表示情報生成部で生成されたことにより表示された表示情報から選択されたマークに対応する前記行為情報を取得する選択行為情報取得部と、
前記選択行為情報取得部で取得された行為情報に含まれる詳細情報に基づいてテキスト文書を含むドキュメント情報を生成するドキュメント情報生成部と、
を備えることを特徴とするドキュメント情報生成装置。
【請求項２】
前記詳細情報は、該行為の内容を示す行為書誌情報、該行為の実行の主体に関する実行主体情報、該行為の実行の客体に関する実行客体情報、該行為の実行場所に関する実行場所情報と、
これらの行為書誌情報、実行主体情報、実行客体情報、実行場所情報、前記実行時間情報にそれぞれ付加する接頭語、接尾語、助詞の情報である付加語句情報と、
これらの行為書誌情報、実行主体情報、実行客体情報、実行場所情報、前記実行時間情報のテキスト文書を構成する際の並び順情報とを含む
ことを特徴とする請求項１に記載のドキュメント情報生成装置。
【請求項３】
前記ドキュメント情報は、予め生成された画像情報または音声情報によるメディア情報とをさらに含む
ことを特徴とする請求項１または２に記載のドキュメント情報生成装置。
【請求項４】
前記プロジェクト管理情報は電子カルテ情報であり、前記行為は医療行為である
ことを特徴とする請求項１〜３いずれか1項に記載のドキュメント情報生成装置。
【請求項５】
ドキュメント情報生成装置に、
プロジェクト管理情報で管理される行為ごとの、実行時間情報を含む詳細情報を行為情報として記憶する機能と、
記憶された各行為情報に対応するマークを、該行為情報に含まれる前記実行時刻情報に基づいて時間軸上に表示させるための表示情報を生成する機能と、
生成され表示された前記表示情報から選択されたマークに対応する前記行為情報を取得する機能と、
取得された行為情報に含まれる詳細情報に基づいてテキスト文書を含むドキュメント情報を生成する機能と、
を実行させるドキュメント情報生成用プログラム。
【請求項６】
前記詳細情報は、該行為の内容を示す行為書誌情報、該行為の実行の主体に関する実行主体情報、該行為の実行の客体に関する実行客体情報、該行為の実行場所に関する実行場所情報と、
これらの行為書誌情報、実行主体情報、実行客体情報、実行場所情報、前記実行時間情報にそれぞれ付加する接頭語、接尾語、助詞の情報である付加語句情報と、
これらの行為書誌情報、実行主体情報、実行客体情報、実行場所情報、前記実行時間情報のテキスト文書を構成する際の並び順情報とを含む
ことを特徴とする請求項５に記載のドキュメント情報生成用プログラム。
【請求項７】
前記ドキュメント情報は、予め生成された画像情報または音声情報によるメディア情報とをさらに含む
ことを特徴とする請求項５または６に記載のドキュメント情報生成用プログラム。
【請求項８】
前記プロジェクト管理情報は電子カルテ情報であり、前記行為は医療行為である
ことを特徴とする請求項５〜７いずれか1項に記載のドキュメント情報生成用プログラム。
【発明の詳細な説明】
【技術分野】
【０００１】
本発明は、様々な分野のプロジェクト管理情報を用いてドキュメント情報を生成するプロジェクト管理情報を用いたドキュメント情報生成装置およびドキュメント情報生成用プログラムに関する。
【背景技術】
【０００２】
従来、プロジェクト管理を行う業務においては、業務行為を正確に記録するとともにこれらの業務行為に関する報告書や要約書を始めとするさまざまなドキュメントの作成が頻繁に行われる。
【０００３】
これらのドキュメントの作成には膨大な時間と労力が費やされ、本来の業務の遂行上の足枷となることがあり、これらのドキュメントの作成処理を合理化することが重要な課題となっている。
【０００４】
既存の文字情報等から文書を構成する技術を利用するものとして、特許文献１に記載の文書構成装置がある。
【０００５】
この文書構成装置では、文字列等で構成された不動産物件情報や契約書等の情報を文書要素として取得して解析し、解析の結果意味のある文字列を抽出し、この文字列をテンプレートに従って配置することで文書を構成している。
【０００６】
この文書構成装置を利用することにより、ユーザの簡便な操作で複数の文書要素を含む文書を作成することが可能になる。
【先行技術文献】
【特許文献】
【０００７】
【特許文献１】特開２００８−１１２３６７号公報
【発明の概要】
【発明が解決しようとする課題】
【０００８】
しかし、実行時刻情報などの時間的要素を含むプロジェクト管理情報から実行する行為に関するドキュメントを作成する際には、どの時間範囲の要素を用いてドキュメントを作成するのかを指定したり、どの時点を基点としてドキュメントを作成するのかを指定したりすることが必要であり、上記の特許文献１に記載の文書構成装置ではこれらの時間的要素に関する処理については言及されていなかった。
【０００９】
よって本発明の目的は、時間的要素を含むプロジェクト管理情報を用いて、ユーザの簡易な操作で容易に所望のドキュメント情報を生成することが可能なドキュメント情報生成装置およびドキュメント情報生成用プログラムを提供することである。
【課題を解決するための手段】
【００１０】
上記目的を達成するための本発明のドキュメント情報生成装置は、プロジェクト管理情報で管理される行為ごとの、実行時間情報を含む詳細情報を行為情報として記憶するプロジェクト管理情報記憶部と、前記プロジェクト管理情報記憶部に記憶された各行為情報に対応するマークを、該行為情報に含まれる前記実行時刻情報に基づいて時間軸上に表示させるための表示情報を生成する表示情報生成部と、前記表示情報生成部で生成されたことにより表示された表示情報から選択されたマークに対応する前記行為情報を取得する選択行為情報取得部と、前記選択行為情報取得部で取得された行為情報に含まれる詳細情報に基づいてテキスト文書を含むドキュメント情報を生成するドキュメント情報生成部とを備えることを特徴とする。
【００１１】
また、本発明のドキュメント情報生成用プログラムは、ドキュメント情報生成装置に、プロジェクト管理情報で管理される行為ごとの、実行時間情報を含む詳細情報を行為情報として記憶する機能と、記憶された各行為情報に対応するマークを、該行為情報に含まれる前記実行時刻情報に基づいて時間軸上に表示させるための表示情報を生成する機能と、生成され表示された前記表示情報から選択されたマークに対応する前記行為情報を取得する機能と、取得された行為情報に含まれる詳細情報に基づいてテキスト文書を含むドキュメント情報を生成する機能とを実行させることを特徴とする。
【発明の効果】
【００１２】
よって本発明のドキュメント情報生成装置およびドキュメント情報生成用プログラムによれば、時間的要素を含むプロジェクト管理情報を用いて、ユーザの簡易な操作で容易に所望のドキュメント情報を生成することができる。
【図面の簡単な説明】
【００１３】
【図１】本発明の一実施形態によるドキュメント情報生成装置としての電子カルテ表示装置を利用した電子カルテ管理システムの構成を示すブロック図である。
【図２】本発明の一実施形態によるドキュメント情報生成装置としての電子カルテ表示装置で利用されるＣＯＡ情報の構造を示す説明図である。
【図３】本発明の一実施形態によるドキュメント情報生成装置としての電子カルテ表示装置で表示される時間軸上におけるＣＯＡ情報の位置を示す説明図である。
【図４】本発明の一実施形態によるドキュメント情報生成装置としての電子カルテ表示装置の動作を示すフローチャートである。
【図５】本発明の一実施形態によるドキュメント情報生成装置としての電子カルテ表示装置で表示された電子カルテ情報を示す表示図である。
【図６】本発明の一実施形態によるドキュメント情報生成装置としての電子カルテ表示装置で表示された電子カルテ情報及びドキュメント情報を表示させるための表示フォーマット画面を示す表示図である。
【図７】本発明の一実施形態によるドキュメント情報生成装置としての電子カルテ表示装置で表示された、ドキュメント情報として表示する内容を設定するための表示パターン設定画面を示す表示図である。
【図８】本発明の一実施形態によるドキュメント情報生成装置としての電子カルテ表示装置において、（ａ）利用されるＣＯＡ情報の内容を示す説明図、および（ｂ）表示された、ドキュメント情報として表示するテキスト文書の構成を設定するための表示パターン設定画面を示す表示図である。
【図９】本発明の一実施形態によるドキュメント情報生成装置としての電子カルテ表示装置で表示された表示パターン設定画面および文章パターン一覧画面を示す表示図である。
【図１０】本発明の一実施形態によるドキュメント情報生成装置としての電子カルテ表示装置で表示された、ドキュメント情報として表示するメディア情報を設定するための表示パターン設定画面を示す表示図である。
【図１１】本発明の一実施形態によるドキュメント情報生成装置としての電子カルテ表示装置で表示された、ドキュメント情報として表示するテキスト文書およびメディア情報の構成を設定するための表示パターン設定画面を示す表示図である。
【発明を実施するための形態】
【００１４】
本発明のプロジェクト管理情報を用いたドキュメント情報生成装置の一実施形態として、電子カルテ情報を用いてドキュメント情報を生成する電子カルテ情報表示装置を利用した電子カルテ管理システムについて説明する。
【００１５】
〈基本概念〉
本発明の一実施形態による電子カルテ情報表示装置を利用する電子カルテ管理システムにおいては、様々な種類の医療行為を個々に「アクト」として定義し管理している。
【００１６】
そして、これらの個々のアクトはその行為の核心となる情報（Core of Act、以下「ＣＯＡ」とする。）を有する。このＣＯＡの中にはそれぞれ時間軸を基にして定義された自己の行為に関する情報や他の行為との関係情報等が格納されている。
【００１７】
アクトの種類としては、「観察」、「処方」、「注射」、「給食」等があり、これらには例えば何を観察するか、または何の薬剤を注射するか等の自己の行為に関する情報や、「注射」を行ってから所定の時間経過後に「観察」しなければならない等の時間軸に基づく他の医療行為との関係情報が個々にあり、これらがＣＯＡの中に格納されている。
【００１８】
医療行為以外の情報、例えば「症状」の情報なども、「観察」というアクトに基づいて発生するＣＯＡであり、これらの情報（症状）は「観察」のＣＯＡ情報として保持される。つまり、すべての情報は何らかの医療行為（アクト）のＣＯＡ情報として保持される。
【００１９】
〈一実施形態としての電子カルテ管理システムの構成〉
本実施形態における電子カルテ管理システム１の構成について、図１を参照して説明する。
【００２０】
本実施形態における電子カルテ管理システム１は、電子カルテ管理センター装置１０と、ドキュメント情報生成装置としての複数の電子カルテ情報表示装置２０とが、ネットワーク３０を介して接続されることにより構成されている。
【００２１】
〔電子カルテ管理センター装置１０〕
電子カルテ管理センター装置１０は、ＣＯＡ情報記憶部１１と、電子カルテ情報記憶部１２と、外部の複数の電子カルテ情報表示装置２０とネットワーク３０を介して通信を行う送受信部１３とを有する。
【００２２】
ＣＯＡ情報記憶部１１は、予め入力された種々のアクトに関するＣＯＡ情報が格納されている。
【００２３】
電子カルテ情報記憶部１２は、ＣＯＡ情報を使用して電子カルテ情報として生成されたデータを記録する。
【００２４】
送受信部１３は、ネットワーク３０を介して接続された電子カルテ情報表示装置２０と、ＣＯＡ情報および電子カルテ情報の送受信を行う。
【００２５】
−ＣＯＡ情報の構成−
ＣＯＡ情報記憶部１１に格納されている各ＣＯＡ情報を構成する情報について、図２を参照して説明する。
【００２６】
各ＣＯＡ情報は、（１）アクト情報層１００と、（２）アクト動作層２００と、（３）出力層３００と、（４）管理層４００とを有する。
【００２７】
（１）アクト情報層１００
アクト情報層１００は、自己のアクトに関する情報である自行為情報としての（i）自己アクト情報１１０と、他のＣＯＡ情報とリンクするための情報であるリンケージ情報としての（ii）リンケージアクト情報１２０とを有する。
【００２８】
（i）自己アクト情報１１０
自己アクト情報１１０はさらに、自行為特性情報としての自己アクト特性１１１と自行為論理情報としての自己アクト論理１１２とを有し、自己アクト特性１１１には、自己のアクトの名称１１１ａ（正式名称、別称、仮名称など）、分類１１１ｂ（大分類、中分類、小分類など）、関連ＩＤ１１１ｃ（名称１１１ａに対応し他のＣＯＡ情報とリンクするための識別ＩＤ）、知識１１１ｄ（自己のアクトに関する量、速度、単位、科学知識やノウハウなど）が格納されている。
【００２９】
分類１１１ｂの例としては、大分類として「動作アクト」、「論理上アクト」があり、「動作アクト」の中分類として「観察アクト」、「介入アクト」がある。また、「観察アクト」の小分類として「病歴」、「症状」、「所見」などがあり、「介入アクト」の小分類として「検体検査」、「画像検査」、「生理検査」、「処方」、「注射」、「処置」、「入退院」、「給食」などがある。また、「論理上アクト」の小分類として、「検査結果の組み合わせによるデータ生成」、「処方箋；物伝票の生成」などがある。
【００３０】
自己アクト論理１１２には、自己のアクトを実行する際の量の算出方法、投与量の適正範囲、症状の評価方法、単位の換算、表示方法などの情報が格納されている。
【００３１】
また本実施形態においては、自己アクト論理１１２内の「ＣＯＡ情報の表示方法」として、自身のＣＯＡ情報がドキュメント情報として表示される際のドキュメント構成に関する情報であるドキュメント表示情報（Expression論理情報）が格納されている。このドキュメント表示情報の詳細については後述する。
【００３２】
（ii）リンケージアクト情報１２０
リンケージアクト情報１２０は、リンケージアクト特性１２１とリンケージアクト論理１２２とを有し、リンケージアクト特性１２１には、他のＣＯＡ情報とリンクされることにより適用する従属的・排他的行為を含む相互に関連する行為の内容、適用時間、適用範囲などの情報が時間軸情報に基づいて格納され、リンケージアクト論理１２２には、リンケージアクト特性１２１の情報に基づいて他のＣＯＡ情報とリンクする際の論理和、論理積等による条件式、論理フローなどが格納されている。
【００３３】
また本実施形態においては、上述したドキュメント表示情報の表示に関する他のＣＯＡ情報との関係、例えば予め設定された他のＣＯＡ情報による行為に従属して実施する場合にのみドキュメント情報として表示させるための情報や、予め設定された他のＣＯＡ情報の実施時の前後の所定期間のみドキュメント情報として表示させるための情報が、リンケージアクト情報１２０として格納されている。
【００３４】
（２）アクト動作層２００
アクト動作層２００には、自己アクト論理１１２およびリンケージアクト論理１２２に基づいて処理を実行する際の動作間の論理制御情報、例えば実行順序や条件式などが格納されている。
【００３５】
（３）出力層３００
出力層３００には、自己のＣＯＡ情報の動作に関する状態３００ａ（想定、計画、実施決定、準備、実施、結果など）、評価３００ｂ（成功、失敗など）、成果３００ｃ（観察結果、実施結果、図形化、伝票・処方箋、ドキュメント情報生成など）、他のＣＯＡ情報に対する介入３００ｄなどの情報が格納されている。
【００３６】
（４）管理層４００
管理層４００には、各ＣＯＡ情報を管理するための管理ＩＤ群４００ａと、管理名称４００ｂと、各ＣＯＡ情報を著作物とする著作権４００ｃと、著作日時、更新日時などの版情報４００ｄとが格納されている。
【００３７】
各ＣＯＡ情報の時間軸上における情報の適用範囲を図３に示す。ＣＯＡ情報はそれぞれ複数のリンケージアクト情報１２０を有することが可能であり、図３のＣＯＡ情報においてはリンケージアクト情報１２０−１〜１２０−３の３つのリンケージアクトを有する。
【００３８】
図３において、リンケージアクト情報１２０−１は自己アクト情報１１０による医療行為実行後所定時間経過後から適用される情報であり、リンケージアクト情報１２０−２は自己アクト情報１１０による医療行為実行と同時に適用される情報であり、リンケージアクト情報１２０−３は自己アクト情報１１０による医療行為終了時から適用される情報である。
【００３９】
〔電子カルテ情報表示装置２０〕
電子カルテ情報表示装置２０は医師が利用するものであり、入力部２１と、制御部２２と、送受信部２３と、仮想記憶部２４と、表示部２５とを有する。
【００４０】
入力部２１は、例えばマウスやキーボードなどであり、利用者による操作内容を入力する。
【００４１】
制御部２２は、ＣＯＡ情報を使用した電子カルテ情報の作成、更新等の処理を行う電子カルテ情報生成部２２１と、電子カルテ情報生成部２２１により生成した電子カルテ情報の各ＣＯＡ情報に対応するマークを、該ＣＯＡ情報に含まれる実行時刻情報に基づいて時間軸上に表示させるための表示情報を生成する表示情報生成部２２２と、表示情報生成部２２２により生成され表示された表示情報の中から、医師により入力部２１の操作により選択された範囲内のマークに対応するＣＯＡ情報を取得する選択ＣＯＡ情報取得部２２３と、選択ＣＯＡ情報取得部２２３で取得されたＣＯＡ情報に含まれる詳細情報に基づいてドキュメント情報を生成するドキュメント情報生成部２２４とを有する。
【００４２】
送受信部２３は、ネットワーク３０を介して接続された電子カルテ管理センター装置１０と、ＣＯＡ情報および電子カルテ情報の送受信を行う。
【００４３】
仮想記憶部２４は、電子カルテ管理センター装置１０から取得した情報および制御部２２で生成した情報を一時的に記憶し、ネットワーク３０が使用できない環境でも限定的な範囲において電子カルテの利用を可能にするものである。
【００４４】
表示部２５は、電子カルテ情報生成部２２１およびドキュメント情報生成部２２４で生成される情報を表示するモニタなどである。
【００４５】
〈一実施形態としての電子カルテ管理システムの動作〉
以下に、具体例を用いて一実施形態としての電子カルテ管理システム１により、ドキュメント情報を作成して表示する場合の動作について、図４のフローチャートを参照して説明する。
【００４６】
まず、利用者である医師により電子カルテ情報表示装置２０の電源が投入され、電子カルテ情報を処理するアプリケーションが起動される（Ｓ１）。
【００４７】
次に、医師の操作により入力部２１から電子カルテの作成指示が入力されると（Ｓ２）、電子カルテ情報生成部２２１の処理により表示部２５に電子カルテの作成画面が表示され、必要なＣＯＡ情報が電子カルテ管理センター装置１０のＣＯＡ情報記憶部１１から送受信部１３、ネットワーク３０、および送受信部２３を介して取得される。
【００４８】
取得されたＣＯＡ情報は仮想記憶部２４に記憶され、これが電子カルテ情報生成部２２１で利用されて電子カルテの作成画面が更新されることにより、治療計画、診療経過等の治療情報が確定された患者ごとの電子カルテ情報が生成される（Ｓ３）。
【００４９】
具体的には、電子カルテ情報を処理するアプリケーションにより電子カルテの作成画面として表示部２５に表示された時間軸情報上で、入力部２１で選択された医療行為のＣＯＡ情報の実行時刻に対応する位置が指定されると、この指定された時間軸情報上の位置の時刻が当該ＣＯＡ情報に該当する医療行為の実行時刻として確定され、このＣＯＡ情報に付加される。このようにして所望のＣＯＡ情報が選択され、表示された時間軸情報を利用して実行時刻が決定されることで、電子カルテ情報生成部２２１により電子カルテ情報が生成される。
【００５０】
また、この生成された電子カルテ情報は、表示情報生成部２２２により、時間軸情報上の該当位置に当該ＣＯＡ情報に対応付けられたマークが表示されるように表示情報が生成される。このようにして、投薬、注射等の医療行為に関するＣＯＡ情報に対応付けられたマークが時間軸情報上の実行時刻位置に入力され表示されることで、電子カルテ情報が表示部２５に表示される。
【００５１】
表示部２５に表示された電子カルテ情報の一例を図５に示す。図５では、電子カルテ情報５として、時間軸情報を示すタイムスケール５１と、このタイムスケール５１に対応し、病名や医療行為ごとのＣＯＡ情報に対応するマークを実行時刻位置に表示させるためのユニットライン５２−１〜５２−３と、これらのユニットライン５２上にそれぞれ入力されたＣＯＡ情報に対応するマーク５３−１〜５３−６が表示されている。ここでは、当該電子カルテに該当する患者が、「病名ＡＡ」を2009年4月1日から発症し4月7日以降まで続いており、薬ａａが4月1日、2日、3日の朝に投与され、薬ｂｂが4月1日、2日、3日の昼に投与されたことが入力され、表示されている。
【００５２】
生成された患者の電子カルテ情報は、仮想記憶部２４に記憶され、また必要に応じて送受信部２３からネットワーク３０を介して電子カルテ管理センター装置１０に送信される。
【００５３】
電子カルテ管理センター装置１０では、電子カルテ情報表示装置２０から電子カルテ情報が送信されると送受信部１３で受信され、電子カルテ情報記憶部１２に記録される（Ｓ４）。
【００５４】
図５のように電子カルテ情報が表示部２５に表示されている状態で、医師による入力部２１の操作で所望のＣＯＡ情報に関するドキュメント情報の生成が指示されると、当該ＣＯＡ情報に格納された自己アクト情報の中のドキュメント表示情報およびこのドキュメント表示情報に関するリンケージアクト情報に従って、ドキュメント情報が生成される。
【００５５】
医師の操作指示により、ＣＯＡ情報に関するドキュメント情報が生成されるときの処理について説明する。
【００５６】
まず、医師による入力部２１の操作により、ドキュメント情報を表示させるための表示フォーマットが表示される。この表示フォーマットは、予め作成された複数の表示フォーマットの中から選択されてもよいし、ユーザにより都度作成されてもよい。
【００５７】
本実施形態においては、それぞれの表示フォーマットを表示するための情報をＣＯＡ情報として格納し、図６に示すように、これらのＣＯＡ情報に対応するマークを表示させるためのユニットライン５２−４、５２−５上の、各表示フォーマットが作成および記録された時刻位置に、当該ＣＯＡ情報に対応するマーク５３−７〜５３−９が表示されるようにしておき、この表示されたマークの中から所望のＣＯＡ情報を選択することにより表示フォーマット画面が展開され表示される。このユニットライン５２−４、５２−５は、表示フォーマットごとに生成され、該当する表示フォーマットを表示させるための情報は版管理され、修正される都度更新された版情報により新たなＣＯＡ情報が生成される。そして、更新時の時刻位置にそれぞれのＣＯＡ情報に対応するマークが表示される。このように表示フォーマットに関する情報が版管理されることで、更新前の過去の表示フォーマットで表示させることも可能になる。
【００５８】
ここでは、表示フォーマットを表示するためのＣＯＡ情報に対応するマーク５３−７〜５３−９の中からマーク５３−８が選択され、このマーク５３−８に対応する版のＣＯＡ情報による表示フォーマット画面６が展開され表示されたものとする。表示された表示フォーマット内では、表示文字のフォントや色を変更したり、項目名を変更、追加、削除したり、文書や画像を表示させる表示エリアを拡張、縮小、追加、削除したりすることも可能である。そして、変更した表示フォーマットの情報を、新たな表示フォーマットのＣＯＡ情報として記憶させることも可能である。
【００５９】
次に、医師により入力部２１が操作されることにより、ドキュメント情報として表示させるＣＯＡ情報に対応するマークが、表示された電子カルテ内から選択される（Ｓ５）。ここでは、薬ａａのユニットライン５２−２上のマーク５３−１が選択されたものとする。
【００６０】
ドキュメント情報として表示させるＣＯＡ情報に対応するマークとしてマーク５３−１が選択されると、選択ＣＯＡ情報取得部２２３において当該ＣＯＡ情報が仮想記憶部２４から取得される。
【００６１】
電子カルテ内のマーク５３−１〜５３−６に対応するＣＯＡ情報には、それぞれ自己アクト論理として、当該行為の実行に関する情報とともにＣＯＡ情報からドキュメント情報を生成するためのドキュメント表示情報が格納されている。ドキュメント表示情報の詳細について説明する。
【００６２】
ドキュメント表示情報は、図７に示すような表示パターン設定画面７を用いて、予めユーザにより入力される。
【００６３】
図７の表示パターン設定画面７は、テキスト文書によるドキュメント情報を作成するための設定画面を開くタブであるテキストエクスプレッションタブ７０１、静止画、動画の画像情報や音声情報によるメディア情報を用いたドキュメント情報を作成するための設定画面を開くタブであるマルチメディアエクスプレッションタブ７０２、またはテキスト文書とメディア情報とが混在したドキュメント情報を作成するための設定画面を開くタブであるアレンジメントタブ７０３の中のいずれかのタブが選択されることにより、対象となる設定画面が表示される。図７においては、テキストエクスプレッションタブ７０１が選択され、テキスト文書によるドキュメント情報を生成するための設定画面が表示されているものとする。
【００６４】
テキスト文書によるドキュメント情報を生成するための設定画面は、当該ドキュメント表示情報を識別するための名称を入力するためのパターン名称入力エリア７０４と、テキスト文書の作成言語を選択するための言語選択エリア７０５と、テキスト文書の詳細な構成内容を設定する６Ｗ１Ｈ設定エリア７０６と、行為の実行に関するテキスト表現を選択するアクト選択エリア７０７と、生成されたテキスト文書表示エリア７０８とを有する。
【００６５】
本実施形態においては、パターン名称入力エリア７０４には当該ドキュメント表示情報を識別するための名称として「TEXTパターンA」が入力され、言語選択エリア７０５では言語「日本語」が選択されているものとする。
【００６６】
また、６Ｗ１Ｈ設定エリア７０６では、６Ｗ１Ｈによる、当該行為の実行時間情報「When（いつ）」、実行場所情報「Where（どこで）」、実行主体情報「Who（誰が）」、実行客体情報「Whom or Which（誰にまたは何に）」、実行詳細情報「What（何を）」、「Why（なぜ）」、「How（どのように）」ごとの、表示の要否、文書内での並び順、表示の要否のデフォルト設定、手入力が可能であるか否か、接頭語、接尾語、助詞、その他の詳細事項等の各種事項の設定が入力可能となっている。
【００６７】
本実施形態においては、「When（いつ）」、「Why（なぜ）」、「Who（誰が）」、「What（何を）」の順で文書を構成し、「What（何を）」には接頭語「お」を付加し、「Who（誰が）」には接尾語「先生」を付加し、「When（いつ）」の助詞が「に」であり、「Why（なぜ）」の助詞が「ので」であり、「Who（誰が）」の助詞が「が」であり、「What（何を）」の助詞が「を」であることが設定され入力されている。
【００６８】
また、アクト選択エリア７０７では、行為を実行したときのステータスにより「◇◇した」が選択されているものとする。
【００６９】
このように選択および入力された詳細な設定により、「○○に△△ので◆◆先生がお□□を◇◇した」というテキスト文書が生成され、テキスト文書表示エリア７０８に表示される。
【００７０】
例えば、図６の薬ａａのユニットライン５２−２上のマーク５３−１に対応するＣＯＡ情報に図８（ａ）および（ｂ）に示すような情報が格納されており、このマーク５３−２がドキュメント情報の表示対象として医師の操作により選択された場合について説明する。
【００７１】
図８（ａ）に示すように、マーク５３−２に対応するＣＯＡ情報の自己アクト情報には、行為の実行に関する情報として、「When（いつ）」として「2009年04月01日  7:30」が格納され、「Where（どこで）」として「Ｊ病院  Ａ病棟」が格納され、「Who（誰が）」として「Ｂ医師」が格納され、「What（何を）」として「薬剤ａａ  ２錠」が格納され、「Why（なぜ）」として「解熱のため」が格納され、「Whom or Which（誰にまたは何に）」として「患者Ａに」が格納され、「How（どのように）」として投薬パターンや投薬サイクル、コメント等が格納され、実行する行為（アクト）としては「投薬する」ことであることが格納されている。
【００７２】
またこのＣＯＡ情報の自己アクト情報には、さらに図８（ｂ）に示すようなドキュメント表示情報が格納されている。このドキュメント表示情報では、「When（いつ）」、「Why（なぜ）」、「Who（誰が）」、「What（何を）」の順で文書を構成し、「Who（誰が）」には接尾語「先生」を付加し、「When（いつ）」の助詞が「に」であり、「Who（誰が）」の助詞が「が」であり、「What（何を）」の助詞が「を」であることが設定され、行為の実行に関するテキスト表現として「投薬した」が選択されている。
【００７３】
このように選択および入力された詳細な設定により、選択されたマーク５３−１に対応するＣＯＡ情報からは、「2009年4月1日  7:30に解熱の為Ｂ先生が薬剤ａａ２錠を投薬した」というテキスト文書が生成され、テキスト文書表示エリア７０８に表示される。
【００７４】
この生成されたテキスト文書の後に、さらに追加したい記載があるときには、自由記載欄７０９にテキスト情報を入力することにより追加情報とすることもできる。
【００７５】
また、表示パターン設定画面７上に表示された「文章パターン一覧」表示ボタン７１０が操作されることにより、図９に示すように、当該ＣＯＡ情報に格納された６Ｗ１Ｈの情報で生成可能なすべてのテキスト文書パターンを別ウィンドウの文章パターン一覧画面７１１に一覧表示させ、テキスト文書表示エリア７０８に表示させるテキスト文書をこの一覧の中からユーザに選択させることができるようにしてもよい。
【００７６】
このように設定されたことにより生成されたテキスト文書は、医師による入力部２１の操作により、表示フォーマット画面６内の選択された表示エリアに表示されドキュメント情報が生成される（Ｓ７）。このとき、同一画面上に表示された電子カルテ情報５内の選択されたマークを、表示フォーマット画面６内の所望の表示エリアにドラッグ・ドロップ操作することにより、生成されたテキスト文書を展開させ表示させるようにしてもよいし、電子カルテ情報５内のマークを選択する操作の後に、表示フォーマット画面６内の所望の表示エリアをクリック操作することにより、生成されたテキスト文書を表示させるようにしてもよい。
【００７７】
次に、図７の表示パターン設定画面７においてマルチメディアエクスプレッションタブ７０２が選択されたことにより、静止画、動画の画像情報や音声情報によるメディア情報を用いたドキュメント情報を生成するための設定を行うときの動作について図１０を参照して説明する。
【００７８】
図１０は、表示パターン設定画面７においてマルチメディアエクスプレッションタブ７０２が選択され、静止画、動画の画像情報や音声情報によるメディア情報を用いたドキュメント情報を作成するための設定画面が表示されている状態を示す。
【００７９】
この図１０の設定画面内には、静止画像を設定する操作を行うための画像設定エリア７１２、動画像を設定する操作を行うための動画設定エリア７１３、音声情報や音量を設定する操作を行うための音声設定エリア７１４等が表示されている。
【００８０】
医師によりこれらの画像設定エリア７１２、動画設定エリア７１３、音声設定エリア７１４が操作されることにより、所望のメディア情報が設定される。この所望のメディア情報は電子カルテ情報５内のＣＯＡ情報に格納されたものが選択されてもよいし、電子カルテ情報５以外に記録されたコンテンツが選択されてもよい。
【００８１】
この設定画面内の画像設定エリア７１２、動画設定エリア７１３、または音声設定エリア７１４によりメディア情報が設定された状態で、医師による入力部２１の操作により、表示フォーマット画面６内の所望の表示エリアが選択されると、表示フォーマット画面６内の選択された表示エリアに、設定されたメディア情報の画像情報または音声情報再生用アイコンが表示されドキュメント情報が生成される。
【００８２】
このとき、同一画面上に表示された電子カルテ情報５内の選択されたマークを、表示フォーマット画面６内の所望の表示エリアにドラッグ・ドロップ操作することにより、設定されたメディア情報等を表示させるようにしてもよいし、電子カルテ情報５内のマークを選択する操作の後に、表示フォーマット画面６内の所望の表示エリアをクリック操作することにより、設定されたメディア情報等を表示させるようにしてもよい。
【００８３】
次に、図７の表示パターン設定画面７においてアレンジメントタブ７０３が選択されたことにより、テキスト文書とメディア情報とが混在したドキュメント情報を作成するための設定を行うときの動作について図１１を参照して説明する。
【００８４】
図１１は、表示パターン設定画面７においてアレンジメントタブ７０３が選択され、テキスト文書、およびメディア情報を用いたドキュメント情報を作成するための設定画面が表示されている状態を示す。
【００８５】
この図１１の設定画面内には、電子カルテ情報５以外のＰＣ内やネットワークで接続された装置内に記録されたテキスト文書やメディア情報によるコンテンツ情報を取得して、ドキュメント情報作成のためのパーツとして設定する操作を行うための外部データ選択エリア７１５と、電子カルテ情報５内のＣＯＡ情報に格納されたテキスト文書やメディア情報によるコンテンツ情報を取得して、ドキュメント情報生成のためのパーツとして設定する操作を行うためのＣＯＡデータ選択エリア７１６と、外部データ選択エリア７１５またはＣＯＡデータ選択エリア７１６で設定されたメディア情報のパーツを展開し、表示用のテンプレートを生成するテンプレート生成エリア７１７とが表示されている。
【００８６】
医師によりこれらの外部データ選択エリア７１５またはＣＯＡデータ選択エリア７１６で設定されたパーツから、所望のメディア情報のパーツが選択されドラッグ・ドロップ操作またはクリック操作されると、これらのメディア情報がテンプレート生成エリア７１７に展開される。
【００８７】
図１１においては、外部データ選択エリア７１５内の文章コンテンツと、ＣＯＡデータ選択エリア７１６内のＡ画像コンテンツが選択されてテンプレート生成エリア７１７に展開され、文章コンテンツによる文書テキスト７１８と、Ａ画像による画像情報７１９が表示されることでドキュメント情報を生成するためのテンプレート情報が設定されている。テンプレート生成エリア７１７に表示されたテンプレート情報は、表示位置、表示色、表示サイズ等を変更することも可能である。
【００８８】
この設定画面内のテンプレート生成エリア７１７にテンプレート情報が設定された状態で、医師による入力部２１の操作により、表示フォーマット画面６内の所望の表示エリアが選択されると、表示フォーマット画面６内の選択された表示エリアに、設定されたテンプレート情報が表示されドキュメント情報が生成される。
【００８９】
このとき、同一画面上に表示された電子カルテ情報５内の選択されたマークを、表示フォーマット画面６内の所望の表示エリアにドラッグ・ドロップ操作することにより、設定されたテンプレート情報を表示させるようにしてもよいし、電子カルテ情報５内のマークを選択する操作の後に、表示フォーマット画面６内の所望の表示エリアをクリック操作することにより、設定されたテンプレート情報を表示させるようにしてもよい。
【００９０】
以上の本実施形態によれば、時間的要素を含むＣＯＡ情報を用いて生成された電子カルテ情報から、簡易な操作でテキスト文書、画像情報、音声情報を自在に用いたドキュメント情報を生成することができる。
【００９１】
このドキュメント情報は、電子カルテ情報の部分的な情報のショートカットを組み合わせて構成されたものであるため電子カルテ情報とドキュメント情報とは常に整合性が保たれており、ドキュメント情報として生成した情報上で内容を更新することで、電子カルテ情報を更新することも可能である。
【００９２】
また、本実施形態においては１つのＣＯＡ情報からドキュメント情報を生成する場合について説明したが、複数のＣＯＡ情報を含む範囲を選択してドキュメント情報を生成することも可能である。この場合、利用する電子カルテ情報のＣＯＡ情報にリンケージアクト情報として、予め設定された他のＣＯＡ情報による行為に従属して実施する場合にのみドキュメント情報として表示させるための情報や、予め設定された他のＣＯＡ情報の実施時の前後の所定期間のみドキュメント情報として表示させるための情報を格納しておき、これらのリンケージアクト情報に基づいて条件に適合したドキュメント情報を生成するようにしてもよい。
【００９３】
また、上記の実施形態のドキュメント情報生成装置としての電子カルテ表示装置の電子カルテ情報生成部、表示情報生成部、選択ＣＯＡ情報取得部、ドキュメント情報生成部の機能構成をプログラム化してコンピュータに組み込むことにより、当該コンピュータを電子カルテ表示装置として機能させるドキュメント情報生成用プログラムを構築することも可能である。
【００９４】
また、本実施形態においては、プロジェクト情報表示装置の一例として電子カルテ表示装置について説明したがこれには限定されず、他のプロジェクト情報、例えば工場において製造工程を管理するプロジェクト情報やさまざまな分野のスケジュール情報など、時間軸に基づいた情報を表示させるいかなる装置にも適用することができる。
【符号の説明】
【００９５】
１…電子カルテ管理システム
５…電子カルテ情報
６…表示フォーマット画面
７…表示パターン設定画面
１０…電子カルテ管理センター装置
１１…ＣＯＡ情報記憶部
１２…電子カルテ情報記憶部
１３…送受信部
２０…電子カルテ情報表示装置
２１…入力部
２２…制御部
２３…送受信部
２４…仮想記憶部
２５…表示部
３０…ネットワーク
５１…タイムスケール
５２−１〜５２−５…ユニットライン
５３−１〜５３−９…マーク
１００…アクト情報層
１１０…自己アクト情報
１１１…自己アクト特性
１１２…自己アクト論理
１２０、１２０−１〜１２０−３…リンケージアクト情報
１２１…リンケージアクト特性
１２２…リンケージアクト論理
２００…アクト動作層
２２１…電子カルテ情報生成部
２２２…表示情報生成部
２２３…選択ＣＯＡ情報取得部
２２４…ドキュメント情報生成部
４００…管理層
７０１…テキストエクスプレッションタブ
７０２…マルチメディアエクスプレッションタブ
７０３…アレンジメントタブ
７０４…パターン名称入力エリア
７０５…言語選択エリア
７０６…６Ｗ１Ｈ設定エリア
７０７…アクト選択エリア
７０８…テキスト文書表示エリア
７０９…自由記載欄
７１０…「文章パターン一覧」表示ボタン
７１１…文章パターン一覧画面
７１２…画像設定エリア
７１３…動画設定エリア
７１４…音声設定エリア
７１５…外部データ選択エリア
７１６…ＣＯＡデータ選択エリア
７１７…テンプレート生成エリア
７１８…文書テキスト
７１９…画像情報
【図１】
2010282532.tif 000003
【図２】
2010282532.tif 000004
【図３】
2010282532.tif 000005
【図４】
2010282532.tif 000006
【図５】
2010282532.tif 000007
【図６】
2010282532.tif 000008
【図７】
2010282532.tif 000009
【図８】
2010282532.tif 000010
【図９】
2010282532.tif 000011
【図１０】
2010282532.tif 000012
【図１１】
2010282532.tif 000013